(57)【要約】【課題】段付きコーナーパネルを略Ｌ字状に折り曲げる際に、段付き部における金属外皮の余剰部分の仕舞いを良好におこなうことで、段付き部における外観品位及び水密・気密性を長期にわたって維持する。【解決手段】パネル体１３の凹入段部４、凹入段部４につづく接続凸部５又は接続凹部６において略Ｌ字状に折り曲げられる際の金属外皮１の余剰部分を内面側に折り畳む連続片７として一連に折り畳まれている。【選択図】　　　　図１
2004076429.tif 000002
【特許請求の範囲】
【請求項１】
金属外皮の内面に断熱材を積層したパネル体の一の端部にパネル表面より凹入させてパネル固定用でパネル表面と略平行な凹入段部を形成し、凹入段部につづいてパネル接続用の接続凸部又は接続凹部を形成し、パネル体の他の端部に接続凹部又は接続凸部を形成し、パネル体を凹入段部、接続凸部及び接続凹部を含めて全体を内側に略Ｌ字状に折り曲げた段付きコーナーパネルであって、
パネル体の凹入段部、凹入段部につづく接続凸部又は接続凹部において略Ｌ字状に折り曲げられる際の金属外皮の余剰部分を内面側に折り畳む連続片として一連に折り畳まれて成ることを特徴とする段付きコーナーパネル。
【請求項２】
金属外皮の余剰部分は、金属外皮の面に垂直な方向に対して、凹入段部が設けられたパネル端部から反対側のパネル端部側に若干向かう斜め方向に押込まれて成ることを特徴とする請求項１記載の段付きコーナーパネル。
【請求項３】
断熱材の内面に裏の金属外皮を積層して成ることを特徴とする請求項１記載の段付きコーナーパネル。
【請求項４】
凹入段部につづく接続凸部の端部においてパネル体の厚さ方向に折り曲げられてパネル表面と略直交する端部折曲片を形成し、略Ｌ字状に折り曲げられる際の端部折曲片における余剰部分を略Ｖ字状に予め切除されて成ることを特徴とする請求項１記載の段付きコーナーパネル。
【請求項５】
凹入段部とは反対側のパネル体の端部に凹入段部を覆う覆い片をパネル表面と面一に延出し、覆い片を形成している金属外皮を覆い片に近接させて折返し、折返し片の端部においてパネル体の厚さ方向に折り曲げられてパネル表面と略直交する端部折曲片材を形成し、略Ｌ字状に折り曲げられる際の端部折曲片材における余剰部分を略Ｖ字状に予め切除されて成ることを特徴とする請求項１又は４記載の段付きコーナーパネル。
【請求項６】
金属外皮の内面に断熱材を積層したパネル体の一の端部にパネル表面より凹入させてパネル固定用でパネル表面と略平行な凹入段部を形成し、凹入段部につづいてパネル接続用の接続凸部又は接続凹部を形成し、パネル体の他の端部に接続凹部又は接続凸部を形成し、パネル体を凹入段部、接続凸部及び接続凹部を含めて全体を内側に略Ｌ字状に折り曲げた段付きコーナーパネルの製造方法であって、
パネル体の凹入段部、凹入段部につづく接続凸部又は接続凹部において略Ｌ字状に折り曲げられる際の金属外皮の余剰部分を押込み型によって内面側に押込み、その後、パネル体を略Ｌ字状に折り曲げて押込まれている余剰部分を連続片として一連に折り畳み、
その後、略Ｌ字状に折り曲げた金属外皮の内面に断熱材を積層し、断熱材の内面に内側の金属外皮を積層することを特徴とする段付きコーナーパネルの製造方法。
【請求項７】
押込み型を金属外皮の面に垂直な方向に対して、凹入段部が設けられたパネル端部から反対側のパネル端部側に若干向かう斜め方向に押込むことを特徴とする請求項６記載の段付きコーナーパネルの製造方法。
【請求項８】
凹入段部につづく接続凸部の端部においてパネル体の厚さ方向に折り曲げられてパネル表面と略直交する端部折曲片を形成し、略Ｌ字状に折り曲げられる際の端部折曲片における余剰部分を略Ｖ字状に予め切除し、その後、金属外皮を折り曲げることを特徴とする請求項６記載の段付きコーナーパネルの製造方法。
【請求項９】
凹入段部とは反対側のパネル体の端部に凹入段部を覆う覆い片をパネル表面と面一に延出し、覆い片を形成している金属外皮を覆い片に近接させて折返し、折返し片の端部においてパネル体の厚さ方向に折り曲げられてパネル表面と略直交する端部折曲片材を形成し、略Ｌ字状に折り曲げられる際の端部折曲片材における余剰部分を略Ｖ字状に予め切除し、その後、金属外皮を折り曲げることを特徴とする請求項６又は８記載の段付きコーナーパネルの製造方法。
【発明の詳細な説明】
【０００１】
【発明の属する技術分野】
本発明は、段付きコーナーパネル及びその製造方法に関し、詳しくは、段付きコーナーパネルを略Ｌ字状に折り曲げる際に、段付き部における金属外皮の余剰部分の仕舞いを良好におこなうことで、段付き部における外観品位及び水密・気密性を長期にわたって良好に維持する技術に係るものである。
【０００２】
【従来の技術】
従来、図１１〜図１３に示す段付きコーナーパネルＡ’においては、金属外皮１の内面に断熱材３を、断熱材３の内面に裏の金属外皮２積層し、このようなパネル体１３の一の端部にパネル表面より凹入させてパネル固定用でパネル表面と略平行な凹入段部４を形成し、凹入段部４につづいてパネル体１３の厚みよりも薄いパネル接続用の接続凸部５を形成し、パネル体１３の他の端部に接続凹部６を形成し、パネル体１３を凹入段部４、接続凸部５及び接続凹部６を含めて全体を内側に略Ｌ字状に折り曲げてあるのであり、この折り曲げに際して、図１３（ａ）（ｂ）に示すように、パネル体１３の凹入段部４及び接続凸部５において略Ｌ字状に折り曲げられる際の金属外皮１の余剰部分を予め切除して切除部イを形成しておくものである。
【０００３】
【発明が解決しようとする課題】
ところで、余剰部分を予め切除してパネル体１３を略Ｌ字状に折り曲げる場合に、折り曲げは容易であるが、折り曲げにて切除縁同士を隙間なく合致させ難く、切除縁同士を合致させたとしても経年によって切除縁に錆が発生し、外観品位を大きく低下させるのであり、充分な水密・気密性を得難くなるという問題がある。又、折り曲げて合致させた切除縁の内面側にパテのような水密シール剤を塗布して水密・気密を図る手段も提案されているが、経年変化によってシール機能が低下し、又、地震等の振動によっても切除縁間に容易に隙間が生じるものである。
【０００４】
因みに、段付きコーナーパネルＡ’においては、凹入段部４とは反対側のパネル体１３の端部に覆い片９が延出され、パネルＡ’、Ａ’の接続状態において、覆い片９にて凹入段部４を覆うことで雨水の侵入を防止しているが、覆い片９の内部に侵入した雨水が凹入段部４の合わせ縁よりパネル内側に侵入し、パネル内面に侵入するおそれがあるという問題がある。
【０００５】
又、従来、段付きコーナーパネルＡ’の製造は、図１２に示すように、表裏の金属外皮１間に断熱材３を充填し接着して製造した平坦な断熱パネルにおいて、▲１▼略Ｌ字状に折り曲げる折り曲げ箇所の裏の金属外皮２部分を切除し（同図（ａ）参照）、▲２▼充填して接着されている断熱材３’を剥ぎ取り、▲３▼表の金属外皮１において凹入段部４における余剰部分をカッター工具にて切除し（図１３（ｂ）参照）、▲４▼表の金属外皮１を折り曲げ（図１２（ｂ）参照）、▲５▼断熱材３’を切除した部分に新たな断熱材３ａを充填するとともに接着し（図１２（ｃ）参照）、▲６▼充填した断熱材３ａ、３ａの裏面を略Ｌ字状に曲げた押さえ板２ａにて押さえる（図１２（ｄ）参照）等の工程によって製造するものであった。
【０００６】
本発明はこのような問題に鑑みてなされたものであり、段付きコーナーパネルを略Ｌ字状に折り曲げる際に、段付き部における金属外皮の余剰部分の仕舞いを良好におこなうことで、余剰部分を切除する際の切除縁における錆の発生、外観品位及び水密・気密性の低下を回避して、段付き部における外観品位及び水密・気密性を長期にわたって良好に維持できる段付きコーナーパネル及びその製造方法を提供することを目的とするものである。
【０００７】
【課題を解決するための手段】
請求項１の発明においては、金属外皮１の内面に断熱材３を積層したパネル体１３の一の端部にパネル表面より凹入させてパネル固定用でパネル表面と略平行な凹入段部４を形成し、凹入段部４につづいてパネル接続用の接続凸部５又は接続凹部６を形成し、パネル体１３の他の端部に接続凹部６又は接続凸部５を形成し、パネル体１３を凹入段部４、接続凸部５及び接続凹部６を含めて全体を内側に略Ｌ字状に折り曲げた段付きコーナーパネルであって、
パネル体１３の凹入段部４、凹入段部４につづく接続凸部５又は接続凹部６において略Ｌ字状に折り曲げられる際の金属外皮１の余剰部分を内面側に折り畳む連続片７として一連に折り畳まれていることを特徴とするものである。
【０００８】
このような構成によれば、凹入段部４において略Ｌ字状に折り曲げる際の余剰部分は切除されることがなく内側に一連に折り畳まれていて、余剰部分を切除する際のように切除縁において錆が発生することがなく、又、パテのような水密シール剤を不要にでき、かつ、地震等の振動によっても隙間が生じることをなくすことができ、段付き部における外観品位及び水密・気密性を長期にわたって良好に維持することができる。
【０００９】
請求項２の発明においては、金属外皮１の余剰部分は、金属外皮１の面に垂直な方向に対して、凹入段部４が設けられたパネル端部から反対側のパネル端部側に若干向かう斜め方向Ｘに押込まれていることを特徴とするものである。このような構成によれば、金属外皮１の面に垂直な方向に形成されている凹入段部４の凹入側壁ｄ、ｄ及び凹入角部ａを斜め方向Ｘに押込むことができ、凹入側壁ｄ及び凹入角部ａを円滑に押込むことができ、余剰部分の押込み変形を目標形状のとおりにおこなうことができる。
【００１０】
請求項３の発明においては、断熱材３の内面に裏の金属外皮２を積層して成ることを特徴とするものである。このような構成によれば、段付きコーナーパネルＡの裏側の強度、水密・気密性を充分に高めることができる。
【００１１】
請求項４の発明においては、凹入段部４につづく接続凸部５の端部においてパネル体１３の厚さ方向に折り曲げられてパネル表面と略直交する端部折曲片８を形成し、略Ｌ字状に折り曲げられる際の端部折曲片８における余剰部分を略Ｖ字状に予め切除されていることを特徴とするものである。このような構成によれば、接続凸部５の端部においてパネル表面と略直交する端部折曲片８はＬ字状に折り曲げる際に多大な抵抗となるのであるが、端部折曲片８における余剰部分を略Ｖ字状に予め切除していることから、Ｌ字状の折り曲げを容易におこなえ、折り曲げ装置の構成を簡素化できる。
【００１２】
因みに、端部折曲片８は、パネルの接続状態において内側に折り畳まれた連続片７の上方に位置することになり、かつ、上方のパネルの接続凹部６の内方に存在することになって、略Ｖ字状に切除して折り曲げによってその切除縁ｅ同士を付き合わせていても雨水の侵入のおそれはほとんどない。加えて、上方のパネルの接続凹部６の凹部底面に付設したシールテープ３９（図３参照）が端部折曲片８の上面に圧接されて端部折曲片８の上記切除縁ｅ同士の突き合わせ箇所のシール性を充分に確保するのである。
【００１３】
請求項５の発明においては、凹入段部４とは反対側のパネル体１３の端部に凹入段部４を覆う覆い片９をパネル表面と面一に延出し、覆い片９を形成している金属外皮１を覆い片９に近接させて折返し、折返し片１０の端部においてパネル体１３の厚さ方向に折り曲げられてパネル表面と略直交する端部折曲片材１１を形成し、略Ｌ字状に折り曲げられる際の端部折曲片材１１における余剰部分を略Ｖ字状に予め切除されていることを特徴とするものである。このような構成によれば、覆い片９に添って折り返された折返し片１０の端部においてパネル表面と略直交する端部折曲片材１１はＬ字状に折り曲げる際に多大な抵抗となるのであるが、端部折曲片材１１における余剰部分を略Ｖ字状に予め切除していることから、Ｌ字状の折り曲げを容易におこなえ、折り曲げ装置の構成を簡素化できる。
【００１４】
因みに、端部折曲片材１１は、パネル接続状態において下位の段付きコーナーパネルＡの凹入段部４及び接続凸部５の上方に位置することになって、略Ｖ字状に切除して折り曲げによってその切除縁ｆ同士を付き合わせていても雨水の侵入のおそれはほとんどない。加えて、端部折曲片材１１の下面にはシールテープ３９が貼着されていて（図３参照）、切除縁ｆ同士を付き合わせていても充分にシール性を高めるのである。
【００１５】
請求項６の発明においては、金属外皮１の内面に断熱材３を積層したパネル体１３の一の端部にパネル表面より凹入させてパネル固定用でパネル表面と略平行な凹入段部４を形成し、凹入段部４につづいてパネル接続用の接続凸部５又は接続凹部６を形成し、パネル体１３の他の端部に接続凹部６又は接続凸部５を形成し、パネル体１３を凹入段部４、接続凸部５及び接続凹部６を含めて全体を内側に略Ｌ字状に折り曲げた段付きコーナーパネルの製造方法であって、
パネル体１３の凹入段部４、凹入段部４につづく接続凸部５又は接続凹部６において略Ｌ字状に折り曲げられる際の金属外皮１の余剰部分を押込み型１２によって内面側に押込み、その後、パネル体１３を略Ｌ字状に折り曲げて押込まれている余剰部分を連続片７として一連に折り畳み、
その後、略Ｌ字状に折り曲げた金属外皮１の内面に断熱材３を積層し、断熱材３の内面に内側の金属外皮２を積層することを特徴とするものである。
【００１６】
このような構成によれば、製造された段付きコーナーパネルＡにおいては、
凹入段部４において略Ｌ字状に折り曲げる際の余剰部分は切除されることがなく内側に一連に折り畳むのであり、余剰部分を切除する際のように切除縁において錆が発生することがなく、又、パテのような水密シール剤を不要にでき、地震等の振動によっても隙間が生じることをなくすことができ、段付き部における外観品位及び水密・気密性を長期にわたって良好に維持することができながら、
本発明の製造方法においては、▲１▼表の金属外皮１の余剰部分を押込み型１２によって内面側に押込み、▲２▼パネル体１３を略Ｌ字状に折り曲げて押込まれている余剰部分を連続片７として一連に折り畳み、▲３▼略Ｌ字状に折り曲げた金属外皮１の内面に断熱材３を積層し、▲４▼断熱材３の内面に内側の金属外皮２を積層することで製造できるのである。
【００１７】
請求項７の発明においては、押込み型１２を金属外皮１の面に垂直な方向に対して、凹入段部４が設けられたパネル端部から反対側のパネル端部側に若干向かう斜め方向Ｘに押込むことを特徴とするものである。このような構成によれば、金属外皮１の面に垂直な方向に形成されている凹入段部４の凹入側壁ｄ、ｄ及び凹入角部ａを斜め方向Ｘに押込むことができ、凹入側壁ｄ及び凹入角部ａを円滑に押込むことができ、余剰部分の押込み変形を目標形状のとおりにおこなうことができ、かつ、凹入側壁ｄ及び凹入角部ｂを無理なく押込むことができるから、押込み型１２の駆動部の出力を小さくでき、装置を小型化できる。
【００１８】
請求項８の発明においては、接続凸部５の端部においてパネル体１３の厚さ方向に折り曲げられてパネル表面と略直交する端部折曲片８を形成し、略Ｌ字状に折り曲げられる際の端部折曲片８における余剰部分を略Ｖ字状に予め切除し、その後、金属外皮１を折り曲げることを特徴とするものである。このような構成によれば、接続凸部５の端部においてパネル表面と略直交する端部折曲片８はＬ字状に折り曲げる際に多大な抵抗となるのであるが、端部折曲片８における余剰部分を略Ｖ字状に予め切除していることから、Ｌ字状の折り曲げを容易におこなえ、折り曲げ装置の構成を簡素化できる。
【００１９】
請求項９の発明においては、凹入段部４とは反対側のパネル体１３の端部に凹入段部４を覆う覆い片９をパネル表面と面一に延出し、覆い片９を形成している金属外皮１を覆い片９に近接させて折返し、折返し片１０の端部においてパネル体１３の厚さ方向に折り曲げられてパネル表面と略直交する端部折曲片材１１を形成し、略Ｌ字状に折り曲げられる際の端部折曲片材１１における余剰部分を略Ｖ字状に予め切除し、その後、金属外皮１を折り曲げることを特徴とするものである。このような構成によれば、覆い片９に添って折り返された折返し片１０の端部においてパネル表面と略直交する端部折曲片材１１はＬ字状に折り曲げる際に多大な抵抗となるのであるが、端部折曲片材１１における余剰部分を略Ｖ字状に予め切除していることから、Ｌ字状の折り曲げを容易におこなえ、折り曲げ装置の構成を簡素化できる。
【００２０】
【発明の実施の形態】
以下、本発明の実施の形態を説明する。図１（ａ）は表の金属外皮の凹入段部側の折り曲げ状態を示す表面側からの斜視図、同図（ｂ）は内面側からの斜視図である。図２（ａ）は覆い片側の折り曲げ状態を示す表面側からの斜視図、同図（ｂ）は内面側からの斜視図である。図７（ａ）は段付きコーナーパネルの概略斜視図、同図（ｂ）は断熱材の配置を示す概略斜視図である。
【００２１】
段付きコーナーパネルＡは、表裏の金属外皮１、２間に断熱材３を充填して加圧し接着し、パネル体１３の一の端部にパネル表面より凹入させてパネル固定用でパネル表面と略平行な凹入段部４を形成し、凹入段部４につづいてパネル体１３の厚みよりも薄いパネル接続用の接続凸部５を形成している。凹入段部４には更に凹入する鋲打ち部１４（図３参照）を形成していてパネル表面より二段階に凹入している。パネル体１３の他の端部に凹入段部４を覆う覆い片９をパネル表面と面一に延出し、覆い片９を形成している金属外皮１を覆い片９に近接させて折返している。段付きコーナーパネルＡは、全体を内側に略Ｌ字状に折り曲げられていて、ビル外壁のコーナー部等に施工されるものである。
【００２２】
段付きコーナーパネルＡを略Ｌ字状に折り曲げる際に、段付き部である二段階に凹入している凹入段部４における曲げ加工を円滑に、それでいて、段付き部における表の金属外皮１の余剰部分の仕舞いを良好におこなうことで、余剰部分を切除する際の切除縁における錆の発生、外観品位及び水密・気密性の低下を回避して、段付き部における外観品位及び水密・気密性を長期にわたって良好に維持している。以下、詳述する。
【００２３】
図４（ａ）は曲げ金型の正面図、同図（ｂ）は押込み型と受型との関係を示す側面図、同図（ｃ）は説明図である。図５（ａ）（ｂ）は曲げ加工工程を示す平面図である。図６（ａ）（ｂ）（ｃ）は折り畳み状態を示す説明図である。
【００２４】
曲げ金型１５は、固定型１６と可動型１７を備え、回転治具１８によってベース１９に保持している固定型１６に対して可動型１７を略直角に揺動回転させることができるようにしている。固定型１６は固定受型２０と固定押さえ型２１を備え、可動型１７は可動受型２２と可動押さえ型２３を備えている。
【００２５】
しかして、表の金属外皮１において凹入段部４、鋲打ち部１４、接続凸部５、端部折曲片８、折り返し片１０及び端部折曲片材１１が例えばロール成形されて未だ略Ｌ字状に曲げられていない中間品Ｃが固定受型２０と固定押さえ型２１にて一側部が保持され、中間品Ｃの他側部が可動受型２２と可動押さえ型２３とに保持され、固定型１６に対して可動型１７を揺動回転させることで、表の金属外皮１を略Ｌ字状に曲げ加工することができるようにしている。この場合、可動型１７側の被ガイド軸４０が回転治具１８の中心Ｑのまわりにガイド回転される。このような可動型１７の揺動回転のための構成は種々設計変更することができる。又、可動型１７には中間品Ｃをスライド可能に保持することで、金属外皮１の表面に擦り傷が付くのを回避するようにするとよい。符号３８はスペーサを示す。
【００２６】
図４（ａ）に示すように、固定押さえ型２１及び可動押さえ型２３にわたって切込み２４を形成して中間品Ｃを略Ｌ字状に曲げ加工する場合の余剰部分を導入できるようにしている。この切込み２４は固定受型２０及び可動受型２２にも及ぶものである。切込み２４に対応させて押込み型１２を配設し、押込み型１２を例えば、油圧シリンダー２５で駆動して切込み２４内に突入させることができるようにしている。しかして、油圧シリンダー２５の駆動によって、中間品Ｃを略Ｌ字状に曲げ加工する場合の余剰部分を予め切込み２４内に押し込むようにしている。
【００２７】
押込み型１２は金属外皮１の面に垂直な方向に対して、凹入段部４が設けられたパネル端部から反対側のパネル端部側に若干向かう斜め方向Ｘに押込むように保持台３７に保持してあり、好ましくは、金属外皮１の面に垂直な水平方向に対して約１５°〜２０°程度の角度に傾斜して保持台３７に保持してあり、押込み型１２を水平方向に対して上記傾斜角度をもって中間品Ｃに押圧力を加えるようにしてあり、凹入段部４及び更に凹入する釘打ち部１４における各凹入角部ａ、ｂ等を円滑に押込み、又、対向している凹入側壁ｄ、ｄを円滑に変形させて余剰部分の押込み変形を目標形状のとおりにおこなえるようにしている。このように目標形状のとおりに押込みをおこなうのに当たって、一次押込み型と二次押込み型とを用意し、一次押込み型による一次押込みの後に、二次押込み型に型交換をして二次押込みをおこなうようにしてもよい。
【００２８】
しかして、押込み型１２を金属外皮１の面に垂直な方向に対して、凹入段部４が設けられたパネル端部から反対側のパネル端部側に若干向かう斜め方向Ｘに押込むことによって、金属外皮１の面に垂直な方向に形成されている凹入段部４の凹入側壁ｄ、ｄ及び凹入角部ａを斜め方向Ｘに押込むことができ、凹入側壁ｄ及び凹入角部ａを円滑に押込むことができ、余剰部分の押込み変形を目標形状のとおりにおこなうことができ、かつ、凹入側壁ｄ及び凹入角部ｂを無理なく押込むことができるから、押込み型１２の駆動部の出力を小さくでき、装置を小型化できる。
【００２９】
このように、中間品Ｃを略Ｌ字状に曲げ加工する場合の余剰部分を予め切込み２４内に押し込んだ後、押込み型１２の後退を待って、固定型１６に対して可動型１７を回転させて中間品Ｃを略Ｌ字状に折り曲げるのであり、このような折り曲げによって余剰部分は図１（ｂ）及び図６（ｃ）に示すように二重に折り畳んだ状態で連続片７として折り曲げられるのである。
【００３０】
このように、パネル体１３の凹入段部４及び接続凸部５において略Ｌ字状に折り曲げられる際の金属外皮１の余剰部分を内面側に折り畳む連続片７として一連に折り畳まれていることから、凹入段部４において略Ｌ字状に折り曲げる際の余剰部分は切除されることがなく内側に一連に折り畳まれていて、余剰部分を切除する際のように切除縁において錆が発生することがなく、又、パテのような水密シール剤を不要にでき、かつ、地震等の振動によっても隙間が生じることをなくすことができ、段付き部における外観品位及び水密・気密性を長期にわたって良好に維持することができる。
【００３１】
更に、表の金属外皮１の接続凸部５の端部においてパネル体１３の厚さ方向に折り曲げられてパネル表面と略直交する端部折曲片８を形成しているのであり、略Ｌ字状に折り曲げられる際の端部折曲片８における余剰部分を略Ｖ字状に予め切除されている。接続凸部５の端部においてパネル表面と略直交する端部折曲片８はＬ字状に折り曲げる際に多大な抵抗となるのであるが、端部折曲片８における余剰部分を略Ｖ字状に予め切除していることから、Ｌ字状の折り曲げを容易におこなえ、折り曲げ装置の構成を簡素化できる。
【００３２】
ところで、端部折曲片８は、パネルの接続状態において内側に折り畳まれた連続片７の上方に位置することになり、かつ、上方のパネルの接続凹部６の内方に存在することになって、略Ｖ字状に切除して折り曲げによってその切除縁ｅ同士を付き合わせていても雨水の侵入のおそれはほとんどない。又、上方の段付きコーナーパネルＡの接続凹部６の凹部底面に付設したシールテープ３９（図３参照）が端部折曲片８の上面に圧接されて端部折曲片８の上記切除縁ｅ同士の突き合わせ箇所のシール性を充分に確保するのである。
【００３３】
更に、表の金属外皮１の凹入段部４とは反対側のパネル体１３の端部に凹入段部４を覆う覆い片９をパネル表面と面一に延出している。覆い片９を形成している金属外皮１を覆い片９に近接させて折返している。この折返し片１０の端部においてパネル体１３の厚さ方向に折り曲げられてパネル表面と略直交する端部折曲片材１１を形成している。略Ｌ字状に折り曲げられる際の端部折曲片材１１における余剰部分を略Ｖ字状に予め切除されている。
【００３４】
ところで、覆い片９に添って折り返された折返し片１０の端部においてパネル表面と略直交する端部折曲片材１１はＬ字状に折り曲げる際に多大な抵抗となるのであるが、端部折曲片材１１における余剰部分を略Ｖ字状に予め切除していることから、Ｌ字状の折り曲げを容易におこなえ、この点においても折り曲げ装置の構成を簡素化できる。
【００３５】
段付きコーナーパネルＡの完成後に、端部折曲片材１１の下面には全長にわたって一連にシールテープ３９が貼着されていて（図３参照）、段付きコーナーパネルＡ、Ａを上下に凹凸接続する際に、端部折曲片材１１の下面に貼着したシールテープ３９が下の段付きコーナーパネルＡの接続凸部５における端部折曲片８の上面に圧接されるのであり、端部折曲片８において略Ｖ字状に切除して折り曲げによってその切除縁ｅ同士を付き合わせていても雨水の侵入を確実に防止し、充分なシール機能を得るのである。
【００３６】
図９（ａ）〜（ｅ）は段付きコーナーパネルＡの製造工程を示す概略説明図である。表の金属外皮１を略Ｌ字状に折り曲げ（図９（ａ）参照）、金属外皮１の内面に断熱材３を配設する（同図（ｂ）参照）。断熱材３は例えばスラグ系或いはロックウール系であり、繊維方向をパネルの厚さ方向に配向した短冊芯材２６を複数本使用するのであり、金属外皮１の内面に接着剤を塗布した後、短冊芯材２６を図７（ｂ）に示すように配設し、内面に接着剤を塗布した裏の金属外皮２を短冊芯材２６に当ててセットする（図９（ｃ）参照）。次に、図１０（ａ）（ｂ）に示すように、例えば、温水ジャケット部２７、２７を上下に備えた加熱・加圧装置２８に装着して加熱・加圧をおこなう。温水ジャケット部２７への温水の供給・排水は複数の制御弁２９の開閉及びポンプ３０の駆動によっておこなう。符号３１は燃料タンク、３２はボイラー、３３は制御盤である。又、加熱・加圧装置２８はシリンダー３４の作動で開閉され、押圧力が調整される。加熱・加圧装置２８による加熱・加圧工程が終えると、同装置２８より取り出し、塗装をおこない、必要ならば、段付きコーナーパネルＡの接続凸部５及び接続凹部６側に防水シート３５を貼り（図９（ｄ）参照）、又、接続凹部５側のみにシールテープ３９を貼り、セラミックファイバー３６を付設して断熱材３の下面を覆う（図９（ｅ）参照）。
【００３７】
このように、本発明の製造方法においては、▲１▼表の金属外皮１の余剰部分を押込み型１２によって内面側に押込み、▲２▼パネル体１３を略Ｌ字状に折り曲げて押込まれている余剰部分を連続片７として一連に折り畳み、▲３▼略Ｌ字状に折り曲げた金属外皮１の内面に断熱材３を積層し、▲４▼断熱材３の内面に内側の金属外皮２を積層する、との工程によって製造することができる。
【００３８】
尚、金属外皮１の内面に配設する断熱材３としては、無機系の他に、ウレタン系或いはフェノール系等のような有機系のものであってもよい。
【００３９】
【発明の効果】
請求項１の発明においては、金属外皮の内面に断熱材を積層したパネル体の一の端部にパネル表面より凹入させてパネル固定用でパネル表面と略平行な凹入段部を形成し、凹入段部につづいてパネル接続用の接続凸部又は接続凹部を形成し、パネル体の他の端部に接続凹部又は接続凸部を形成し、パネル体を凹入段部、接続凸部及び接続凹部を含めて全体を内側に略Ｌ字状に折り曲げた段付きコーナーパネルであって、
パネル体の凹入段部、凹入段部につづく接続凸部又は接続凹部において略Ｌ字状に折り曲げられる際の金属外皮の余剰部分を内面側に折り畳む連続片として一連に折り畳まれているから、
凹入段部において略Ｌ字状に折り曲げる際の余剰部分は切除されることがなく内側に一連に折り畳まれていて、余剰部分を切除する際のように切除縁において錆が発生することがなく、又、パテのような水密シール剤を不要にでき、かつ、地震等の振動によっても隙間が生じることをなくすことができ、段付き部における外観品位及び水密・気密性を長期にわたって良好に維持することができるという利点がある。
【００４０】
請求項２の発明においては、請求項１の効果に加えて、金属外皮の余剰部分は、金属外皮の面に垂直な方向に対して、凹入段部が設けられたパネル端部から反対側のパネル端部側に若干向かう斜め方向に押込まれているから、金属外皮の面に垂直な方向に形成されている凹入段部の凹入側壁及び凹入角部を斜め方向に押込むことができ、凹入側壁及び凹入角部を円滑に押込むことができ、余剰部分の押込み変形を目標形状のとおりにおこなうことができるという利点がある。
【００４１】
請求項３の発明においては、請求項１の効果に加えて、断熱材の内面に裏の金属外皮を積層して成ることを特徴とするものである。このような構成によれば、段付きコーナーパネルＡの裏側の強度、水密・気密性を充分に高めることができる。
【００４２】
請求項４の発明においては、請求項１の効果に加えて、凹入段部につづく接続凸部の端部においてパネル体の厚さ方向に折り曲げられてパネル表面と略直交する端部折曲片を形成し、略Ｌ字状に折り曲げられる際の端部折曲片における余剰部分を略Ｖ字状に予め切除されているから、接続凸部の端部においてパネル表面と略直交する端部折曲片はＬ字状に折り曲げる際に多大な抵抗となるのであるが、端部折曲片における余剰部分を略Ｖ字状に予め切除していることから、Ｌ字状の折り曲げを容易におこなえ、折り曲げ装置の構成を簡素化できるという利点がある。
【００４３】
請求項５の発明においては、請求項１又は４の効果に加えて、凹入段部とは反対側のパネル体の端部に凹入段部を覆う覆い片をパネル表面と面一に延出し、覆い片を形成している金属外皮を覆い片に近接させて折返し、折返し片の端部においてパネル体の厚さ方向に折り曲げられてパネル表面と略直交する端部折曲片材を形成し、略Ｌ字状に折り曲げられる際の端部折曲片材における余剰部分を略Ｖ字状に予め切除されているから、覆い片に添って折り返された折返し片の端部においてパネル表面と略直交する端部折曲片材はＬ字状に折り曲げる際に多大な抵抗となるのであるが、端部折曲片材における余剰部分を略Ｖ字状に予め切除していることから、Ｌ字状の折り曲げを容易におこなえ、折り曲げ装置の構成を簡素化できるという利点がある。
【００４４】
請求項６の発明においては、金属外皮の内面に断熱材を積層したパネル体の一の端部にパネル表面より凹入させてパネル固定用でパネル表面と略平行な凹入段部を形成し、凹入段部につづいてパネル接続用の接続凸部又は接続凹部を形成し、パネル体の他の端部に接続凹部又は接続凸部を形成し、パネル体を凹入段部、接続凸部及び接続凹部を含めて全体を内側に略Ｌ字状に折り曲げた段付きコーナーパネルの製造方法であって、
パネル体の凹入段、凹入段部につづく接続凸部又は接続凹部において略Ｌ字状に折り曲げられる際の金属外皮の余剰部分を押込み型によって内面側に押込み、その後、パネル体を略Ｌ字状に折り曲げて押込まれている余剰部分を連続片として一連に折り畳み、
その後、略Ｌ字状に折り曲げた金属外皮の内面に断熱材を積層し、断熱材の内面に内側の金属外皮を積層するから、
製造された段付きコーナーパネルにおいては、凹入段部において略Ｌ字状に折り曲げる際の余剰部分は切除されることがなく内側に一連に折り畳むのであり、余剰部分を切除する際のように切除縁において錆が発生することがなく、又、パテのような水密シール剤を不要にでき、かつ、地震等の振動によっても隙間が生じることをなくすことができ、段付き部における外観品位及び水密・気密性を長期にわたって良好に維持することができながら、
本発明の製造方法においては、▲１▼表の金属外皮１の余剰部分を押込み型によって内面側に押込み、▲２▼パネル体を略Ｌ字状に折り曲げて押込まれている余剰部分を連続片として一連に折り畳み、▲３▼略Ｌ字状に折り曲げた金属外皮の内面に断熱材を積層し、▲４▼断熱材の内面に内側の金属外皮を積層する、との工程によって製造することができる。
【００４５】
請求項７の発明においては、請求項６の効果に加えて、押込み型を金属外皮の面に垂直な方向に対して、凹入段部が設けられたパネル端部から反対側のパネル端部側に若干向かう斜め方向に押込むから、金属外皮の面に垂直な方向に形成されている凹入段部の凹入側壁及び凹入角部を斜め方向に押込むことができ、凹入側壁及び凹入角部を円滑に押込むことができ、余剰部分の押込み変形を目標形状のとおりにおこなうことができ、かつ、凹入側壁及び凹入角部を無理なく押込むことができるから、押込み型の駆動部の出力を小さくでき、装置を小型化できるという利点がある。
【００４６】
請求項８の発明においては、請求項６の効果に加えて、凹入段部につづく接続凸部の端部においてパネル体の厚さ方向に折り曲げられてパネル表面と略直交する端部折曲片を形成し、略Ｌ字状に折り曲げられる際の端部折曲片における余剰部分を略Ｖ字状に予め切除し、その後、金属外皮を折り曲げるから、接続凸部の端部においてパネル表面と略直交する端部折曲片はＬ字状に折り曲げる際に多大な抵抗となるのであるが、端部折曲片における余剰部分を略Ｖ字状に予め切除していることから、Ｌ字状の折り曲げを容易におこなえ、折り曲げ装置の構成を簡素化できるという利点がある。
【００４７】
請求項９の発明においては、請求項６又は８の効果に加えて、凹入段部とは反対側のパネル体の端部に凹入段部を覆う覆い片をパネル表面と面一に延出し、覆い片を形成している金属外皮を覆い片に近接させて折返し、折返し片の端部においてパネル体の厚さ方向に折り曲げられてパネル表面と略直交する端部折曲片材を形成し、略Ｌ字状に折り曲げられる際の端部折曲片材における余剰部分を略Ｖ字状に予め切除し、その後、金属外皮を折り曲げるから、覆い片に添って折り返された折返し片の端部においてパネル表面と略直交する端部折曲片材はＬ字状に折り曲げる際に多大な抵抗となるのであるが、端部折曲片材における余剰部分を略Ｖ字状に予め切除していることから、Ｌ字状の折り曲げを容易におこなえ、折り曲げ装置の構成を簡素化できるという利点がある。
【図面の簡単な説明】
【図１】本発明の段付きコーナーパネルの実施の一形態を示し、（ａ）は表の金属外皮の凹入段部側の折り曲げ状態を示す表面側からの斜視図、（ｂ）は内面側からの斜視図である。
【図２】（ａ）は覆い片側の折り曲げ状態を示す表面側からの斜視図、（ｂ）は内面側からの斜視図である。
【図３】同上の段付きコーナーパネルの一部破断した斜視図である。
【図４】（ａ）は曲げ金型の正面図、（ｂ）は押込み型と受型との関係を示す側面図、（ｃ）は説明図である。
【図５】（ａ）（ｂ）は曲げ加工工程を示す平面図である。
【図６】（ａ）（ｂ）（ｃ）は表の金属外皮の折り畳み連続片の折り畳み状態を示す説明図である。
【図７】（ａ）は段付きコーナーパネルの概略斜視図、（ｂ）は断熱材の配置を示す概略斜視図である。
【図８】同上の段付きコーナーパネルの接続状態を示す斜視図である。
【図９】（ａ）（ｂ）（ｃ）（ｄ）（ｅ）は製造工程を示す説明図である。
【図１０】（ａ）（ｂ）は加熱加圧装置を示す説明図である。
【図１１】従来例の段付きコーナーパネルの概略斜視図である。
【図１２】（ａ）（ｂ）（ｃ）（ｄ）は同上の製造工程を示す説明図である。
【図１３】（ａ）（ｂ）は同上の説明図である。
【符号の説明】
１　　表の金属外皮
２　　裏の金属外皮
３　　断熱材
４　　凹入段部
５　　接続凸部
６　　接続凹部
７　　折り畳み連続片
８　　端部折曲片
９　　覆い片
１０　折り返し片
１１　端部折曲片材
１２　押込み型
１３　パネル体
【図１】
2004076429.tif 000003
【図２】
2004076429.tif 000004
【図３】
2004076429.tif 000005
【図４】
2004076429.tif 000006
【図５】
2004076429.tif 000007
【図６】
2004076429.tif 000008
【図７】
2004076429.tif 000009
【図８】
2004076429.tif 000010
【図９】
2004076429.tif 000011
【図１０】
2004076429.tif 000012
【図１１】
2004076429.tif 000013
【図１２】
2004076429.tif 000014
【図１３】
2004076429.tif 000015